(57)【要約】【課題】チャンネル切替後、目的チャンネルの番組が表示されないためのユーザの不満を緩和するデジタルＴＶ放送受信装置を提供する。【解決手段】デジタル放送受信装置９０は、複数のチューナ及びデコーダの組（１００、１０４）及び（１０２、１０６）、その出力を選択しディスプレイ９２に出力する切替回路１１８、映像信号の録画及び再生を行なう複数の録画・再生装置（１２０Ａ、１２０Ｂ）、及び指定された映像信号を表示するよう複数のチューナ及びデコーダの組（１００、１０４）及び（１０２、１０６）と切替回路１１８とを制御するＣＰＵ１１０を含む。ＣＰＵ１１０は、チャンネル切替があると、それまで復号していたチャンネルの映像信号の録画を対応の録画・再生装置（１２０Ａ、１２０Ｂ）に開始させる。チャンネルが元に戻されると再生させ、切替回路１１８にその映像信号を選択させる。【選択図】        図３
2008199281.tif 000002
【特許請求の範囲】
【請求項１】
デジタル放送信号を受信し、指定されたチャンネルのデジタル放送信号に含まれる映像信号を復号するための複数の映像復号手段と、
前記複数の映像復号手段のいずれか一つを指定する選択信号に応答し、前記複数の映像復号手段から出力される映像信号から、前記選択信号により指定された映像復号手段の出力する映像信号を選択して表示部に出力するための選択手段と、
前記複数の映像復号手段に対応して設けられ、対応の映像復号手段の出力する映像信号の録画、及び録画しながらの再生を選択的に実行可能な、複数の録画・再生手段と、
ユーザからチャンネル切替指示を受けたことに応答して、前記複数の映像復号手段及び前記選択手段を制御して、前記チャンネル切替指示により指示されたチャンネルの放送信号に含まれる映像信号を前記表示部に出力させるための制御手段とを含み、
前記制御手段は、
ユーザから、前記表示部に表示されている第１のチャンネル以外の第２のチャンネルへのチャンネル切替指示を受けたことに応答して、前記複数の録画・再生手段のうち、前記第１のチャンネルの映像信号を復号中の映像復号手段に対応するものを制御して、当該映像復号手段の出力する映像信号の録画を開始させ、当該録画・再生手段による録画中に前記第２のチャンネルから前記第１のチャンネルへのチャンネル切替指示を受けたことに応答して、前記録画中の録画・再生手段の再生を開始させ、その出力を選択するように前記選択手段を制御することを特徴とする、デジタル放送受信装置。
【請求項２】
前記制御手段は、
ユーザから、前記表示部に表示されている第１のチャンネル以外の第２のチャンネルへのチャンネル切替指示を受けたことに応答して、前記複数の録画・再生手段のうち、前記第１のチャンネルの映像信号を復号中の映像復号手段に対応するものを制御して、当該映像復号手段の出力する映像信号の録画を開始させるための録画制御手段と、
ユーザから、前記第２のチャンネルへのチャンネル切替指示を受けたことに応答して、前記複数の映像復号手段のうちに、前記第２のチャンネルのデジタル放送信号に含まれる映像信号を復号中のものがあるか否かを判定するための第１の判定手段と、
前記第１の判定手段により、前記複数の映像復号手段のうちに、前記第２のチャンネルのデジタル放送信号に含まれる映像信号を復号中のものがあると判定されたことに応答して、当該映像復号手段に対応する前記録画・再生手段が当該映像復号手段の出力を録画中か否かを判定するための第２の判定手段と、
前記第２のチャンネルのデジタル放送信号に含まれる映像信号を復号中の映像復号手段の出力を録画している前記録画・再生手段があると前記第２の判定手段により判定されたことに応答して、当該録画・再生手段による再生を開始させ、かつ、前記選択手段を制御して当該録画・再生手段の出力を選択させるための第１の選択制御手段と、
前記第２のチャンネルのデジタル放送信号に含まれる映像信号を復号中の映像復号手段の出力を録画している録画・再生手段が存在していないと前記第２の判定手段により判定されたことに応答して、前記選択手段を制御して当該映像復号手段の出力を選択させるための第２の選択制御手段と、
前記第２のチャンネルのデジタル放送信号に含まれる映像信号を復号中の映像復号手段がないと前記第１の判定手段により判定されたことに応答して、前記選択手段により出力が選択されていない映像復号手段のいずれかに前記第２のチャンネルのデジタル放送信号に含まれる映像信号の復号を開始させ、かつ、前記選択手段を制御して当該映像復号手段の出力を選択させるための第３の選択制御手段とを含む、請求項１に記載のデジタル放送受信装置。
【請求項３】
デジタル放送信号を受信し、指定されたチャンネルのデジタル放送信号に含まれる映像信号を復号するための複数の映像復号手段と、
前記複数の映像復号手段のいずれか一つを指定する選択信号に応答し、前記複数の映像復号手段から出力される映像信号から、前記選択信号により指定された映像復号手段の出力する映像信号を選択して表示部に出力し、次の選択信号が与えられるまで、先行する選択信号による選択を維持するための選択手段と、
前記複数の映像復号手段に対応して設けられ、対応の映像復号手段の出力する映像信号の録画、及び録画しながらの再生を選択的に実行可能な、複数の録画・再生手段と、
ユーザからチャンネル切替指示を受けたことに応答して、前記複数の映像復号手段及び前記選択手段を制御して、前記チャンネル切替指示により指示されたチャンネルの放送信号に含まれる映像信号を前記表示部に出力させるための制御手段とを含むデジタル放送受信装置において、ユーザからのチャンネル切替指示に応答して前記表示部に出力する映像信号のチャンネルを変更するための、デジタル放送受信装置の制御方法であって、
前記制御手段が、ユーザから前記表示部に表示されている第１のチャンネル以外の第２のチャンネルへのチャンネル切替指示を受けたことに応答して、前記複数の録画・再生手段のうち、前記第１のチャンネルの映像信号を復号中の映像復号手段に対応するものを制御して、当該映像復号手段の出力する映像信号の録画を開始させるステップと、
前記制御手段が、当該録画・再生手段による録画中に前記第２のチャンネルから前記第１のチャンネルへのチャンネル切替指示を受けたことに応答して、前記録画中の録画・再生手段の再生を開始させ、その出力を選択するように前記選択手段を制御するステップとを含む、デジタル放送受信装置の制御方法。
【請求項４】
デジタル放送信号を受信し、指定されたチャンネルのデジタル放送信号に含まれる映像信号を復号するための複数の映像復号手段と、
前記複数の映像復号手段のいずれか一つを指定する選択信号に応答し、前記複数の映像復号手段から出力される映像信号から、前記選択信号により指定された映像復号手段の出力する映像信号を選択して表示部に出力し、次の選択信号が与えられるまで、先行する選択信号による選択を維持するための選択手段と、
前記複数の映像復号手段に対応して設けられ、対応の映像復号手段の出力する映像信号の録画、及び録画しながらの再生を選択的に実行可能な、複数の録画・再生手段と、
前記複数の映像復号手段及び前記選択手段を制御するためのコンピュータとを含むデジタル放送受信装置において、前記コンピュータにより実行されることによって、前記表示装置に表示される映像信号のチャンネルを変更するように前記コンピュータを動作させるためのコンピュータプログラムであって、前記コンピュータを、
ユーザから、前記表示部に表示されている第１のチャンネル以外の第２のチャンネルへのチャンネル切替指示を受けたことに応答して、前記複数の録画・再生手段のうち、前記第１のチャンネルの映像信号を復号中の映像復号手段に対応するものを制御して、当該映像復号手段の出力する映像信号の録画を開始させるための録画制御手段と、
ユーザから、前記第２のチャンネルへのチャンネル切替指示を受けたことに応答して、前記複数の映像復号手段のうちに、前記第２のチャンネルのデジタル放送信号に含まれる映像信号を復号中のものがあるか否かを判定するための第１の判定手段と、
前記第１の判定手段により、前記複数の映像復号手段のうちに、前記第２のチャンネルのデジタル放送信号に含まれる映像信号を復号中のものがあると判定されたことに応答して、当該映像復号手段に対応する前記録画・再生手段が当該映像復号手段の出力を録画中か否かを判定するための第２の判定手段と、
前記第２のチャンネルのデジタル放送信号に含まれる映像信号を復号中の映像復号手段の出力を録画している前記録画・再生手段があると前記第２の判定手段により判定されたことに応答して、当該録画・再生手段による再生を開始させ、かつ、前記選択手段を制御して当該録画・再生手段の出力を選択させるための第１の選択制御手段と、
前記第２のチャンネルのデジタル放送信号に含まれる映像信号を復号中の映像復号手段の出力を録画している録画・再生手段が存在していないと前記第２の判定手段により判定されたことに応答して、前記選択手段を制御して当該映像復号手段の出力を選択させるための第２の選択制御手段と、
前記第２のチャンネルのデジタル放送信号に含まれる映像信号を復号中の映像復号手段がないと前記第１の判定手段により判定されたことに応答して、前記選択手段により出力が選択されていない映像復号手段のいずれかに前記第２のチャンネルのデジタル放送信号に含まれる映像信号の復号を開始させ、かつ、前記選択手段を制御して当該映像復号手段の出力を選択させるための第３の選択制御手段として機能させる、コンピュータプログラム。
【発明の詳細な説明】
【技術分野】
【０００１】
この発明はテレビジョン（以下「テレビ」と呼ぶ）の映像表示の改善技術に関し、特に、デジタルテレビ放送においてチャンネルを切替えたときの映像表示を改善する技術に関する。
【背景技術】
【０００２】
これまでのアナログテレビ放送に代わり、すべてのテレビ放送がデジタル化されつつある。テレビ放送がデジタル化されることにより、電波の帯域を有効に利用しながら、ノイズの影響を受けることの少ない多くのチャンネルを利用することが可能になる。
【０００３】
帯域を有効に使用するために、デジタルテレビ放送では画像の符号化が行なわれている。画像の符号化には、フレーム内予測符号化、フレーム間予測符号化などの予測符号化技術が採用されている。このような技術を採用することにより、送信されるデータ量を少なくしながら、鮮明な画質のデジタルテレビ放送を行なうことができる。
【０００４】
しかし、予測符号化方式を採用したことにより、次のような不都合が生じている。すなわち、予測符号化技術を採用しているため、あるフレームの画像を作成するためには、時間的にそれに先立つ画像が必要とされることがある。そのため、ある放送局のデジタルテレビ放送信号を最初に受信し、これをデコードするためにはある時間が必要とされる。この間に受信される信号のみから映像を再構成することはできない。そのため、チャンネルの切替があった後、前の画像に依存しない特定の画像フレームを受信するまでの間、画面には何も表示されないことになる。この時間はわずかではあるが、チャンネルを切替えた直後に画面が真っ暗になるため、ユーザにパニックを引起こすという問題がある。
【０００５】
こうした問題を解決するために、後述する特許文献１には、チャンネルの切替後、目的チャンネルの映像表示が可能になるまでの間、「チャンネル切替中です」などのメッセージを画面に表示する技術が開示されている。こうしたメッセージを表示することにより、少なくともユーザは、テレビ受像機が故障してはいないことについて理解することができる。
【０００６】
一方、特許文献１に開示の技術でも、チャンネル切替後、一定の時間の間は映像を楽しむことができないという問題がある。こうした問題を解決するための１つの方策が、後掲の特許文献２に開示されている。特許文献２に開示のデジタル放送受信装置は、２つのチューナを持ち、一方のチューナである放送局の放送を受信している間、他方のチューナで、別の放送のチャンネルの番組をバッファリングしておく。チャンネルの切替があってバッファリングされているチャンネルが選択された場合、バッファリングされている映像を直ちに出力する。したがってこの場合、画面が真っ暗になることは避けられる。ただし、チャンネル切替後、バッファリングされている放送局とは異なる放送局が選択された場合、やはりある時間の間は画面が表示されないという問題点は残る。
【特許文献１】特開２００６−５０５５３号公報
【特許文献２】特開２００６−６７５９９号公報
【発明の開示】
【発明が解決しようとする課題】
【０００７】
特許文献１に開示の装置では、チャンネルを切替えた後、メッセージが表示されるために、装置が故障したとユーザが誤解する恐れは少なくなる。しかし、目的となるチャンネルが表示されるまでの間、本来であれば楽しむことができたはずのテレビ放送を見逃してしまったという不満が生ずる。
【０００８】
一方、特許文献２に開示の装置では、ユーザが選択したチャンネルが装置の予測したチャンネルと一致した場合には直ちに映像の表示が行なわれるため、ユーザにとっては、チャンネル切替中の無駄な時間を解消することができる。しかし、装置の予測が外れた場合には、相変わらず映像が全く表示されないことになり、ユーザにとっては不満が生ずることになる。また、他のチャンネルを視聴している間に、見たい番組の一部を見逃してしまったという別の不満が生ずる。
【０００９】
したがって本発明の目的は、切替先のチャンネルがどのようなものであろうとも、チャンネル切替後のある時間期間において、目的とするチャンネルの番組が表示されないことにより生ずるユーザの不満を緩和することができるデジタルテレビ放送の受信装置を提供することである。
【課題を解決するための手段】
【００１０】
本発明の第１の局面に係るデジタル放送受信装置は、指定されたチャンネルのデジタル放送信号に含まれる映像信号を復号するための複数の映像復号手段と、複数の映像復号手段のいずれか一つを指定する選択信号に応答し、複数の映像復号手段から出力される映像信号から、選択信号により指定された映像復号手段の出力する映像信号を選択して表示部に出力するための選択手段と、複数の映像復号手段に対応して設けられ、対応の映像復号手段の出力する映像信号の録画、及び録画しながらの再生を選択的に実行可能な、複数の録画・再生手段と、ユーザからチャンネル切替指示を受けたことに応答して、複数の映像復号手段及び選択手段を制御して、チャンネル切替指示により指示されたチャンネルの放送信号に含まれる映像信号を表示部に出力させるための制御手段とを含み、制御手段は、ユーザから、表示部に表示されている第１のチャンネル以外の第２のチャンネルへのチャンネル切替指示を受けたことに応答して、複数の録画・再生手段のうち、第１のチャンネルの映像信号を復号中の映像復号手段に対応するものを制御して、当該映像復号手段の出力する映像信号の録画を開始させ、当該録画・再生手段による録画中に第２のチャンネルから第１のチャンネルへのチャンネル切替指示を受けたことに応答して、録画中の録画・再生手段の再生を開始させ、その出力を選択するように選択手段を制御することを特徴とする。
【００１１】
このデジタル放送受信装置においては、複数の映像復号手段はそれぞれ、指定されたチャンネルのデジタル放送信号に含まれる映像信号を復号する。選択手段は、ユーザから選択信号が与えられるまで、先行する選択信号により指定された第１の映像復号手段の出力する映像信号を選択して表示部に出力する。複数の録画・再生手段はそれぞれ、複数の映像復号手段に対応して設けられており、対応する映像復号手段の出力する映像信号の録画、及び録画しながらの再生を選択的に実行する。制御手段は、ユーザからチャンネル切替指示を受けると、第２の映像復号手段に、チャンネル切替指示により指示されたチャンネルのデジタル放送信号に含まれる映像信号の復号を開始させる。制御手段はさらに、ユーザが第１のチャンネルから第２のチャンネルへ、チャンネル切替指示を行なったときに、チャンネル切替指示がある前に選択されていた第１の映像復号手段に対応する録画・再生手段を制御して、第１の映像復号手段の出力する第１のチャンネルの映像信号の録画を開始させる。加えて、ユーザが再び第２のチャンネルから第１のチャンネルへの切替を指示したときには、制御手段は録画中の第１の録画・再生手段を制御して、録画した第１のチャンネルの映像信号の再生を開始させた後、選択手段に選択信号を与えて、第１の録画・再生手段の出力を選択させる。
【００１２】
この発明によれば、ユーザが第１のチャンネルから第２のチャンネルへ切替指示を行なったときに、切替前に選択されていた第１の映像復号手段に対応する第１の録画・再生装置は、第１の映像復号手段の出力する第１のチャンネルの映像信号の録画を開始する。その後ユーザが新たに、第２のチャンネルから第１のチャンネルへの切替指示を行なったとき、選択手段は録画中の第１の録画・再生手段の出力する第１のチャンネルの映像信号を選択し表示する。したがって、即座に指示チャンネル（第１のチャンネル）の映像が表示されるため、チャンネル切替の間に表示部に表示される画面が真っ暗になることが避けられる。その結果、チャンネル切替操作後に画面が真っ暗になって装置が故障したとユーザが誤解したりすることが防止できる。加えて、ユーザは別のチャンネルを視聴している間に見られなかった、第１のチャンネルの番組を見逃す期間を減らすことができる。
【００１３】
好ましくは、制御手段は、ユーザから、表示部に表示されている第１のチャンネル以外の第２のチャンネルへのチャンネル切替指示を受けたことに応答して、複数の録画・再生手段のうち、第１のチャンネルの映像信号を復号中の映像復号手段に対応するものを制御して、当該映像復号手段の出力する映像信号の録画を開始させるための録画制御手段と、ユーザから、第２のチャンネルへのチャンネル切替指示を受けたことに応答して、複数の映像復号手段のうちに、第２のチャンネルのデジタル放送信号に含まれる映像信号を復号中のものがあるか否かを判定するための第１の判定手段と、第１の判定手段により、複数の映像復号手段のうちに、第２のチャンネルのデジタル放送信号に含まれる映像信号を復号中のものがあると判定されたことに応答して、当該映像復号手段に対応する録画・再生手段が当該映像復号手段の出力を録画中か否かを判定するための第２の判定手段と、第２のチャンネルのデジタル放送信号に含まれる映像信号を復号中の映像復号手段の出力を録画している録画・再生手段があると第２の判定手段により判定されたことに応答して、当該録画・再生手段による再生を開始させ、かつ、選択手段を制御して当該録画・再生手段の出力を選択させるための第１の選択制御手段と、第２のチャンネルのデジタル放送信号に含まれる映像信号を復号中の映像復号手段の出力を録画している録画・再生手段が存在していないと第２の判定手段により判定されたことに応答して、選択手段を制御して当該映像復号手段の出力を選択させるための第２の選択制御手段と、第２のチャンネルのデジタル放送信号に含まれる映像信号を復号中の映像復号手段がないと第１の判定手段により判定されたことに応答して、選択手段により出力が選択されていない映像復号手段のいずれかに第２のチャンネルのデジタル放送信号に含まれる映像信号の復号を開始させ、かつ、選択手段を制御して当該映像復号手段の出力を選択させるための第３の選択制御手段とを含む。
【００１４】
制御手段は、表示部に表示されている第１のチャンネル以外の、第２のチャンネルへの切替指示を受けると、第１のチャンネルの映像信号を復号中の第１の映像復号手段に対応する第１の録画・再生手段を制御して、第１のチャンネルの映像信号の録画を開始させる。次に、制御手段は、複数の映像復号手段のうちに、第２のチャンネルの映像信号を復号中のものがあるか否かを判定する。判定の結果、第２の映像復号手段が復号中であると判定された場合、第２の映像復号手段に対応する第２の録画・再生手段がその出力を録画中であるか否かを判定する。判定の結果、第２の録画・再生手段が録画中であると判定された場合、第２の録画・再生手段は録画した映像信号を再生させ、かつ、選択手段は再生された映像信号を選択し表示部へ出力する。一方、第２の録画・再生手段が録画中ではない場合、選択手段は第２の映像復号手段の出力を選択し表示部へ表示させる。さらに、制御手段は、複数の映像復号手段のうちに、第２のチャンネルの映像信号を復号中のものがない場合、その出力が選択されていない第２の映像復号手段に指定された第２のチャンネルのデジタル放送信号に含まれる映像信号の復号を開始させる。この復号では、すぐに正常な映像信号を出力することはできない。しかし、それまでの間、切替前の第１のチャンネルの映像信号を表示する。そして、第２の映像復号手段による正常な映像信号の出力が可能になると、制御手段は、第２の映像復号手段による正常な映像信号の出力を選択して表示部に与える。
【００１５】
ユーザが、表示されている第１のチャンネル以外の第２のチャンネルへの切替指示を行なったときに、次の３つのいずれかの処理へ進む。すなわち、すでに録画されていた第２のチャンネルの映像信号を、第２の録画・再生手段により再生し、その出力を表示するか、第２の映像復号手段が復号している映像信号を選択し表示するか、または、第２の映像復号手段が第２のチャンネルの映像信号を正常に復号し表示が可能となるまで、第１の映像復号手段が出力する第１のチャンネルの映像信号を表示する。したがって、即座に映像が表示されるため、チャンネル切替の間に表示部に表示される画面が真っ暗になることが避けられる。その結果、チャンネル切替操作後に画面が真っ暗になって装置が故障したとユーザが誤解したりすることが防止できる。加えて、ユーザは別のチャンネルを視聴している間に見られなかった、第２のチャンネルの番組を見逃す期間を減らすことができる。また、ユーザが無駄な時間を過ごさずにすむという効果がある。
【００１６】
本発明の第２の局面に係るデジタル放送受信装置の制御方法は、指定されたチャンネルのデジタル放送信号に含まれる映像信号を復号するための複数の映像復号手段と、複数の映像復号手段のいずれか一つを指定する選択信号に応答し、複数の映像復号手段から出力される映像信号から、選択信号により指定された映像復号手段の出力する映像信号を選択して表示部に出力し、次の選択信号が与えられるまで、先行する選択信号による選択を維持するための選択手段と、複数の映像復号手段に対応して設けられ、対応の映像復号手段の出力する映像信号の録画、及び録画しながらの再生を選択的に実行可能な、複数の録画・再生手段と、ユーザからチャンネル切替指示を受けたことに応答して、複数の映像復号手段及び選択手段を制御して、チャンネル切替指示により指示されたチャンネルの放送信号に含まれる映像信号を表示部に出力させるための制御手段とを含むデジタル放送受信装置において、ユーザからのチャンネル切替指示に応答して表示部に出力する映像信号のチャンネルを変更するための、デジタル放送受信装置の制御方法であって、制御手段が、ユーザから表示部に表示されている第１のチャンネル以外の第２のチャンネルへのチャンネル切替指示を受けたことに応答して、複数の録画・再生手段のうち、第１のチャンネルの映像信号を復号中の映像復号手段に対応するものを制御して、当該映像復号手段の出力する映像信号の録画を開始させるステップと、制御手段が、当該録画・再生手段による録画中に第２のチャンネルから第１のチャンネルへのチャンネル切替指示を受けたことに応答して、録画中の録画・再生手段の再生を開始させ、その出力を選択するように選択手段を制御するステップとを含む。
【００１７】
このデジタル放送受信装置においては、複数の映像復号手段はそれぞれ、指定されたチャンネルのデジタル放送信号に含まれる映像信号を復号する。選択手段は、ユーザから選択信号が与えられるまで、先行する選択信号により指定された第１の映像復号手段の出力する映像信号を選択して表示部に出力する。複数の録画・再生手段はそれぞれ、複数の映像復号手段に対応して設けられており、対応する映像復号手段の出力する映像信号の録画、及び録画しながらの再生を選択的に実行する。制御手段は、ユーザからチャンネル切替指示を受けると、第２の映像復号手段に、チャンネル切替指示により指示されたチャンネルのデジタル放送信号に含まれる映像信号の復号を開始させる。制御手段はさらに、ユーザが第１のチャンネルから第２のチャンネルへ、チャンネル切替指示を行なったときに、チャンネル切替指示がある前に選択されていた第１の映像復号手段に対応する第１の録画・再生手段を制御して、第１の映像復号手段の出力する第１のチャンネルの映像信号の録画を開始させる。加えて、ユーザが再び第２のチャンネルから第１のチャンネルへの切替を指示したときには、制御手段は録画中の第１の録画・再生手段を制御して、録画した第１のチャンネルの映像信号の再生を開始させた後、選択手段に選択信号を与えて、第１の録画・再生手段の出力を選択させる。
【００１８】
この発明によれば、ユーザが第１のチャンネルから第２のチャンネルへ切替指示を行なったときに、切替前に選択されていた第１の映像復号手段に対応する第１の録画・再生手段は、第１の映像復号手段の出力する第１のチャンネルの映像信号の録画を開始する。その後ユーザが新たに、第２のチャンネルから第１のチャンネルへの切替指示を行なったとき、選択手段は録画中の第１の録画・再生手段の出力する第１のチャンネルの映像信号を選択し表示する。したがって、即座に指示チャンネル（第１のチャンネル）の映像が表示されるため、チャンネル切替の間に表示部に表示される画面が真っ暗になることが避けられる。その結果、チャンネル切替操作後に画面が真っ暗になって装置が故障したとユーザが誤解したりすることが防止できる。加えて、ユーザは別のチャンネルを視聴している間に見られなかった、第１のチャンネルの番組を見逃す期間を減らすことができる。
【００１９】
本発明の第３の局面に係るコンピュータプログラムは、デジタル放送信号を受信し、指定されたチャンネルのデジタル放送信号に含まれる映像信号を復号するための複数の映像復号手段と、複数の映像復号手段のいずれか一つを指定する選択信号に応答し、複数の映像復号手段から出力される映像信号から、選択信号により指定された映像復号手段の出力する映像信号を選択して表示部に出力し、次の選択信号が与えられるまで、先行する選択信号による選択を維持するための選択手段と、複数の映像復号手段に対応して設けられ、対応の映像復号手段の出力する映像信号の録画、及び録画しながらの再生を選択的に実行可能な、複数の録画・再生手段と、複数の映像復号手段及び選択手段を制御するためのコンピュータとを含むデジタル放送受信装置において、コンピュータにより実行されることによって、表示装置に表示される映像信号のチャンネルを変更するようにコンピュータを動作させるためのコンピュータプログラムである。このコンピュータプログラムは、コンピュータを、ユーザから、表示部に表示されている第１のチャンネル以外の第２のチャンネルへのチャンネル切替指示を受けたことに応答して、複数の録画・再生手段のうち、第１のチャンネルの映像信号を復号中の映像復号手段に対応するものを制御して、当該映像復号手段の出力する映像信号の録画を開始させるための録画制御手段と、ユーザから、第２のチャンネルへのチャンネル切替指示を受けたことに応答して、複数の映像復号手段のうちに、第２のチャンネルのデジタル放送信号に含まれる映像信号を復号中のものがあるか否かを判定するための第１の判定手段と、第１の判定手段により、複数の映像復号手段のうちに、第２のチャンネルのデジタル放送信号に含まれる映像信号を復号中のものがあると判定されたことに応答して、当該映像復号手段に対応する録画・再生手段が当該映像復号手段の出力を録画中か否かを判定するための第２の判定手段と、第２のチャンネルのデジタル放送信号に含まれる映像信号を復号中の映像復号手段の出力を録画している録画・再生手段があると第２の判定手段により判定されたことに応答して、当該録画・再生手段による再生を開始させ、かつ、選択手段を制御して当該録画・再生手段の出力を選択させるための第１の選択制御手段と、第２のチャンネルのデジタル放送信号に含まれる映像信号を復号中の映像復号手段の出力を録画している録画・再生手段が存在していないと第２の判定手段により判定されたことに応答して、選択手段を制御して当該映像復号手段の出力を選択させるための第２の選択制御手段と、第２のチャンネルのデジタル放送信号に含まれる映像信号を復号中の映像復号手段がないと第１の判定手段により判定されたことに応答して、選択手段により出力が選択されていない映像復号手段のいずれかに第２のチャンネルのデジタル放送信号に含まれる映像信号の復号を開始させ、かつ、選択手段を制御して当該映像復号手段の出力を選択させるための第３の選択制御手段として機能させる。
【００２０】
この発明においては、複数の映像復号手段はそれぞれ、指定されたチャンネルのデジタル放送信号に含まれる映像信号を復号する。選択手段は、ユーザから選択信号が与えられるまで、先行する選択信号により指定された第１の映像復号手段の出力する映像信号を選択して表示部に出力する。複数の録画・再生手段はそれぞれ、複数の映像復号手段に対応して設けられており、対応する映像復号手段の出力する映像信号の録画、及び録画しながらの再生を選択的に実行する。開始させるための録画制御手段は、ユーザから、表示部に表示されている第１のチャンネル以外の第２のチャンネルへのチャンネル切替指示を受けると、第１のチャンネルの映像信号を復号中の第１の映像復号手段に対応する、第１の録画・再生手段に、第１のチャンネルの映像信号の録画を開始させる。次に、第１の判定手段は、複数の映像復号手段のうちに、第２のチャンネルの映像信号を復号中のものがあるか否かを判定する。第１の判定手段が、第２の映像復号手段が第２のチャンネルの映像信号を復号中であると判定した場合、第２の判定手段は、第２の映像復号手段に対応する第２の録画・再生手段がその出力を録画中であるか否かを判定する。第２の判定手段が、第２の録画・再生手段が録画中であると判定した場合、第１の選択制御手段は、第２の録画・再生手段に、録画した映像信号を再生させ、かつ、選択手段に、再生された映像信号を選択させ表示部へ出力させる。一方、第２の判定手段が第２の録画・再生手段が録画中ではないと判定した場合、第２の選択制御手段は、選択手段に第２の映像復号手段の出力を選択させ表示部へ表示させる。さらに、第３の選択制御手段は、複数の映像復号手段のうちに、第２のチャンネルの映像信号を復号中のものがない場合、その出力が選択されていない第２の映像復号手段に指定された第２のチャンネルのデジタル放送信号に含まれる映像信号の復号を開始させる。この復号では、すぐに正常な映像信号を出力することはできない。しかし、それまでの間、切替前の第１のチャンネルの映像信号を表示する。そして、第２の映像復号手段による正常な映像信号の出力が可能になると、制御手段は、第２の映像復号手段による正常な映像信号の出力を選択して表示部に与える。
【００２１】
この発明によれば、ユーザから、表示されている第１のチャンネル以外の第２のチャンネルへの切替指示を受けると、次の３つのいずれかの処理へ進む。すなわち、すでに録画されていた第２のチャンネルの映像信号を、第２の録画・再生手段により再生し、その出力を表示するか、第２の映像復号手段が復号している映像信号を選択し表示するか、または、第２の映像復号手段が第２のチャンネルの映像信号を正常に復号し表示が可能となるまで、第１の映像復号手段が出力する第１のチャンネルの映像信号を表示する。したがって、即座に映像が表示されるため、チャンネル切替の間に表示部に表示される画面が真っ暗になることが避けられる。その結果、チャンネル切替操作後に画面が真っ暗になって装置が故障したとユーザが誤解したりすることが防止できる。加えて、ユーザは別のチャンネルを視聴している間に見られなかった、第２のチャンネルの番組を見逃す期間を減らすことができる。また、ユーザが無駄な時間を過ごさずにすむという効果がある。
【発明の効果】
【００２２】
以上のように本発明によれば、ユーザがチャンネル切替指示を行なったときに、指示チャンネルの映像信号の正常な復号が可能になるまでの間、切替前のチャンネルの映像が表示されるか、または、切替先のチャンネルをすでに録画しておいた映像が表示される。その結果、デコードに時間を要するにも関わらず、画面が完全に真っ暗になってしまうことがなくなる。したがって、ユーザは、装置が故障したというパニックを起こす恐れが少なく、またデコードが可能になるまでの間も、映像を見ることができ、何も情報が得られない、というユーザの不満を解消することができる。
【００２３】
また、あるチャンネルにおける１プログラム内容のすべてを楽しみたいが、加えて、別チャンネルで同時刻に放映されている別プログラムも随時確認したいというユーザの欲求も実現できる。
【発明を実施するための最良の形態】
【００２４】
以下、本発明の実施の形態に係るデジタルテレビ放送受信装置について説明する。以下の説明及び図面では、同一の部品には同一の参照符号及び名称を付してある。それらの機能も同一である。したがって、それらについての詳しい説明は繰返さない。
【００２５】
図１に、従来の技術による複数回のチャンネル切替操作と映像表示のシーケンス２０との関係を示す。図１を参照して、最初にユーザが第１チャンネル（ＣＨ１）を視聴しており、映像３０が表示されていたものとする。あるタイミングでユーザがチューナに対して第２チャンネル（ＣＨ２）を選択したものとする。アナログテレビ放送の場合であれば、この操作に応じて直ちに第２チャンネルの映像３４が画面に表示される。しかしデジタルテレビ放送の場合には、チャンネル切替後直ちに第２チャンネルの映像３４が表示されることはなく、ある時間の間真っ黒な画面３２が表示される。この間は、前述したように第２チャンネルの映像信号を受信し、正常なデコードが開始されるまでの時間期間であり、放送されるデジタル放送信号の符号化方式と、チャンネル切替の指示のタイミングとに主に依存してその長さが変化する。
【００２６】
次に、ユーザがチューナに対して再び第１チャンネルを選択したものとする。この場合も、チャンネル切替後直ちに第１チャンネルの映像３８が表示されることはなく、ある時間の間真っ黒な画面３６が表示される。この様態は、最初のチャンネル切替の場合と同一である。加えて、第２チャンネルを視聴していた間の第１チャンネルのプログラムを見逃してしまうことになる。
【００２７】
［第１の実施の形態］
図２に、以下に説明する本願発明の第１の実施の形態に係るデジタルテレビ放送受信装置におけるチャンネル切替の際の表示映像シーケンス５０を示す。参照符号７０により示されるように、ユーザが第１チャンネルの映像６０を最初に見ているものとする。この映像は第１のチューナにより受信され、デコードされたものである。
【００２８】
あるタイミングでユーザがチャンネルを第２チャンネルに切替える指示を出したものとする。この場合、第２のチューナによる第２チャンネルの信号受信とデコードとが終わり、その映像６４が表示されるまでの期間の長さは、図１に示される従来の場合と基本的には同一である。しかし本実施の形態では、チャンネル切替の指示があったことに応答して、第１のチューナ７０によるデジタル放送信号の受信とデコードと表示とを継続しながら、参照符号７６により示されるような第２のチューナによるチャンネル（第２チャンネル：ＣＨ２）の受信及びデコードと、参照符号７２により示されるような第１のチューナのデコードした映像信号の録画とを開始する。そして、次に同じ第１チャンネル（ＣＨ１）への切替指示があった場合に、第１のチューナのデコードした映像信号の録画を継続しながら、参照符号７４で示されるように、録画された映像信号の再生を行なう。
【００２９】
その結果、この場合には、すぐに目的のチャンネル（第１チャンネル）の映像信号による映像６６、６８の表示が行なわれる。従来技術に従えば、図１に示す映像３６のある時間の間、ブランク画面が表示されるが、本実施の形態では映像６６を表示しこれを回避する。さらに、この場合に再生される第１チャンネルの映像は、録画の先頭部分からであるから、第１チャンネルから第２チャンネルへの切替があった直後の映像から再生される。第２チャンネルの映像が表示されていた期間に相当する部分の第１チャンネルの映像が再生されるため、その部分の映像を見逃す恐れが少ないという効果がある。
【００３０】
本実施の形態ではさらに、チャンネルの切替指示があってから実際に目的のチャンネルの映像の表示ができるようになるまでの間、図１のように真っ暗な画面のシーケンス３２を表示する代わりに、チャンネル切替前のチャンネル（第１チャンネル）の映像６２を表示し続ける。このような制御が可能になるのは、チャンネルの切替指示があっても、切替前に表示されていたチャンネルの映像信号の受信及び復号をそのまま継続しているためである。本実施の形態ではさらに、第２チャンネルの映像６４の表示が開始されるまでの期間８０の間、チャンネルの切替操作中であることを明らかにするために、第１チャンネルの映像の表示を、画像６２により示されるように、徐々に縮小していくように加工しながら行なう。これにより、第２チャンネルの映像が表示されるまでの間、第１チャンネルの映像を見ることができるため、ユーザにとっては映像表示までの無駄な待ち時間を感じることがないという効果がある。また、映像を加工して、通常の映像表示とは異なる態様で表示しているため、チャンネルの切替中であることがユーザに容易にわかる。したがって、装置が故障したという誤解を生ずる恐れが少なくなるという効果がある。
【００３１】
なお、第２チャンネルから第１チャンネルへの切替があったときには、図２において参照符号７８で示されるように、第２のチューナの出力する第２チャンネルの映像信号の録画を開始する。したがって、次に第２チャンネルへの切替指示があったときにも、この録画の再生を開始することにより、直ちに第２チャンネルの映像の表示を開始できる。
【００３２】
これにより、ユーザは、第２チャンネルの番組から第１チャンネルに一時チャンネルを変更した後、再度第２チャンネルに戻った場合でも、その間の第２チャンネルの番組の内容を見ることができるという効果がある。
【００３３】
〈構成〉
図３に、本発明の第１の実施の形態に係るデジタルテレビ放送受信装置９０の構成をブロック図形式で示す。図３を参照して、このデジタルテレビ放送受信装置９０は、液晶表示装置（ＬＣＤ）からなるディスプレイ９２、及び音声信号を音声に変換するスピーカ９６のためのアンプ９４に接続されて使用されるものである。
【００３４】
デジタルテレビ放送受信装置９０は、それぞれ図示しないアンテナにより受信されたデジタルテレビ放送信号を受けるように接続され、外部から与えられたチャンネル選局信号により指定されたチャンネルのデジタル放送信号を選局して出力するためのデジタル放送フロントエンド処理部チューナ１００及び１０２（以下それぞれ「第１のチューナ１００」及び「第２のチューナ１０２」と呼ぶ。）と、第１のチューナ１００の出力を受けるように接続され、与えられたデジタル放送信号をデコードし、映像信号を１フレームずつ音声信号とともに出力するための第１のデコーダ１０４と、第２のチューナ１０２の出力を受けるように接続され、与えられたデジタル放送信号をデコードし、そのチャンネルの映像を１フレームずつ音声信号とともに出力するための第２のデコーダ１０６と、デコーダ１０４及び１０６の出力にそれぞれ接続された第１及び第２の入力を有し、第１及び第２の入力のうち、指定された一方の入力信号に対し、図２に示される映像６２のような縮小表示を行なって出力する処理を行なうようにプログラムされたデジタルシグナルプロセッサ（ＤＳＰ）１１４とを含む。
【００３５】
デジタルテレビ放送受信装置９０はさらに、第１のデコーダ１０４の出力を受けるように接続され、他から与えられる指示に従って第１のデコーダ１０４の出力を録画再生する第１の録画再生装置１２０Ａと、第２のデコーダ１０６の出力を受け録画再生する第２の録画再生装置１２０Ｂと、録画再生装置１２０Ａ及び１２０Ｂの２つの出力をそれぞれ受ける２つの入力を有し、この２つの入力のいずれかを選択し、出力するためのスイッチ１２２とを含む。
【００３６】
第１の録画再生装置１２０Ａは、第１のデコーダ１０４の出力する映像信号を録画するための記録装置１３０Ａと、記録装置１３０Ａにより録画された映像信号を保存するための記憶部１３２Ａと、記憶部１３２Ａに保存された映像信号を再生し、出力するための再生装置１３４Ａとを含む。
【００３７】
第２の録画再生装置１２０Ｂも、第１の記録装置１３０Ａ、記憶部１３２Ａ、及び再生装置１３４Ａにそれぞれ対応する第２の記録装置１３０Ｂ、記憶部１３２Ｂ、及び再生装置１３４Ｂを含む。したがって、それらについての詳細な説明は繰返さない。
【００３８】
デジタルテレビ放送受信装置９０はさらに、第１のデコーダ１０４の出力、第２のデコーダ１０６の出力、ＤＳＰ１１４の出力、及びスイッチ１２２の出力をそれぞれ受ける４つの入力を有し、与えられた選択信号に応じて、これら４つの入力のいずれかを選択し出力するための切替回路１１８と、切替回路１１８から出力される映像信号を記憶し、ディスプレイ９２に与えるためのＶＲＡＭ（ビデオ・ランダム・アクセス・メモリ）１１６と、チューナ１００及び１０２、デコーダ１０４及び１０６、ＤＳＰ１１４、録画再生装置１２０Ａ及び１２０Ｂ、スイッチ１２２、並びに切替回路１１８を制御し、図２に示されるようなチャンネル切替時の映像表示を実現するための所定のプログラムを実行するＣＰＵ１１０と、図示しないリモコンからのチャンネル選択指示の赤外線信号を受光し、ＣＰＵ１１０に対しチャンネル切替コードとして与えるための赤外線受光部１０８と、ＣＰＵ１１０が実行するプログラム及びＣＰＵ１１０がプログラム実行の際に使用する作業変数等を記憶するためのメモリ１１２とを含む。
【００３９】
ＤＳＰ１１４は、予めプログラムされており、第１の入力及び第２の入力のうち、外部から指定されたいずれか一方から与えられる映像信号を、チャンネル切替信号を受信した時刻からの経過時間に応じて縮小して切替回路１１８に与える機能を有する。切替回路１１８は、切替信号を受信した後は、次の切替信号を受信するまで、直前の受信信号により指定された入力の選択を維持する機能を持つ。
【００４０】
図４は、図３に示すＣＰＵ１１０により実行されるチャンネルメイン制御プログラムと、チューナ１００及び１０２で実行される選局プログラムのフローチャート、及び相互の間の通信を示す図である。
【００４１】
図４を参照して、ＣＰＵ１１０が実行するチャンネルメイン制御のためのプログラムは、図３に示す赤外線受光部１０８からチャンネル切替コードを受信するまで待機するステップ１４０と、ステップ１４０においてチャンネル切替コードが受信されたと判定されたことに応答して実行され、チューナ１００又は１０２に対しチャンネル切替指示を行なうべきか否かを判定し、必要であればチューナ１００及び１０２のいずれかに対し、指定されたチャンネルを選局するようチャンネル切替指示を送信するステップ１４２と、ステップ１４２の後に実行され、ステップ１４２における処理の結果、図３に示される切替回路１１８による入力の切替が必要か否かを判定し、必要であれば後続のステップに進み、必要がなければステップ１４０に処理を分岐させるためのステップ１４４とを含む。
【００４２】
チャンネルメイン制御プログラムはさらに、ステップ１４４において切替回路１１８による切替があると判定されたことに応答して実行され、図３に示す録画再生装置１２０Ａ及び１２０Ｂのうち、現在受信中のチャンネルのデコードを行なっているデコーダに接続されている方に対し、そのデコーダの出力する映像信号の録画を開始するように制御信号を与えるステップ１４５と、ステップ１４５の後に実行され、図３に示すＤＳＰ１１４による映像信号の縮小表示が必要か否かを判定し、判定結果に応じて処理を分岐させるステップ１４６と、ステップ１４６においてＤＳＰ１１４を使用すると判定されたことに応答して実行され、ＤＳＰ１１４に対し、デコーダ１０４及び１０６のうち、現在受信中のチャンネルのデコードを行なっている方を指定し、その出力する映像信号に対し図２に示すような縮小処理を行なって切替回路１１８に与えるように画面切替指示を出力するステップ１４８と、ステップ１４８の後に実行され、一定の条件が充足した後に、ＤＳＰ１１４で処理している映像信号を出力したデコーダとは異なるデコーダの出力に切替回路１１８の入力を切替えるためのスイッチ切替プロセスを起動し、その後ステップ１４０に処理を戻すステップ１５０とを含む。
【００４３】
このプログラムはさらに、ステップ１４６においてＤＳＰ１１４が使用されないと判定されたことに応答して実行され、図３に示す録画再生装置１２０Ａ及び１２０Ｂのうち、新たに選局されたチャンネルの録画を行なっている方を指定し、録画し保存した映像信号の再生を開始させ、あわせてその出力を選択するようにスイッチ１２２を制御するステップ１５１と、ステップ１５１の後に実行され、切替回路１１８を、新たに選局されたチャンネルに対応するデコーダからの入力に切替えるように制御するステップ１５２とを含む。ステップ１５２の後、制御はステップ１４０に戻る。
【００４４】
なお、このプログラムを実行した場合、ＣＰＵ１１０は、電源投入直後には第１のデコーダ１０４の出力を選択するように切替回路１１８を制御するものとする。
【００４５】
チューナ１００及び１０２で実行される処理は、互いに同じである。以下、第１のチューナ１００で実行されるプログラムについて説明する。
【００４６】
第１のチューナ１００で実行されるプログラムは、電源投入後、受信チャンネルを電源投入以前に最後に選択されていたチャンネルに設定する等の初期設定を行なうためのステップ１８０と、ステップ１８０の後に実行され、チャンネルメイン制御プログラムからチャンネル切替指示を受取ったか否かを判定し、判定結果に応じて制御を分岐させるためのステップ１８２と、ステップ１８２においてチャンネル切替指示を受取ったと判定されたことに応答して実行され、ＣＰＵ１１０から与えられたチャンネル切替指示により指定されたチャンネルの信号を選択するステップ１８４と、ステップ１８４の後、又はステップ１８２においてチャンネル切替指示がなかったと判定されたことに応答して実行され、設定されたチャンネルの映像信号の受信を行ない、ステップ１８２に制御を戻すステップ１８６とを含む。
【００４７】
第２のチューナ１０２が実行するプログラムも、ステップ１８０、ステップ１８２、ステップ１８４及びステップ１８６にそれぞれ対応するステップ２００、ステップ２０２、ステップ２０４及びステップ２０６を有する。したがって、それらについての詳細な説明は繰返さない。
【００４８】
なお、チャンネルメイン制御プログラムのステップ１４２において第１のチューナ１００に対しチャンネル切替指示を与えると判定された場合には、第１のチューナ１００に対してチャンネル切替指示が与えられ、ステップ１８２の判定結果はＹＥＳとなる。同様に、ステップ１４２においてチューナ１０２に対しチャンネル切替指示を与えるよう判定された場合には、ステップ２０２における判定結果がＹＥＳとなる。
【００４９】
図５は、図４のステップ１４２の詳細を示すフローチャートである。図５を参照して、図４のステップ１４２で実行される処理は、ステップ１４０において受信したチャンネル切替コードによって指示されたチャンネルを第１のチューナ１００が受信中か否かを判定し、判定結果に応じて制御を分岐させるステップ２２０と、ステップ２２０において、第１のチューナが指示チャンネルを受信中と判定されたことに応答して実行され、図３に示す切替回路１１８が第１のデコーダ１０４の出力を選択し、ディスプレイ９２に表示させているか否かを判定し、その判定結果に応じて制御を分岐させるステップ２２２と、ステップ２２２において第１のデコーダ１０４の出力を表示中であると判定されたことに応答して実行され、ディスプレイ９２の表示がリアルタイムであるか否かを判定し、その判定結果に応じて制御を分岐させるステップ２２３と、ステップ２２３においてリアルタイム信号を表示中であると判定されたことに応答して実行され、第１のデコーダ１０４の出力の表示を継続することを決定するステップ２２４と、ステップ２２３において、リアルタイム信号を表示中でないと判定されたことに応答して実行され、第１の録画再生装置１２０Ａに含まれる再生装置１３４Ａにより再生されている信号の表示を継続することを決定するステップ２２６とを含む。なお、ディスプレイ９２の表示がリアルタイムである場合、第１のデコーダ１０４の出力は、直接、切替回路１１８へ入力され、映像として出力される。一方、リアルタイムでない場合、第１のデコーダ１０４の出力は、第１の録画再生装置１２０Ａに含まれる、第１の記録装置１３０Ａに録画された後、第１の記憶部１３２Ａに保存され、そして第１の再生装置１３４Ａにより再生され、スイッチ１２２を介し切替回路１１８に与えられて、映像として出力される。以降、「リアルタイム表示」及び「リアルタイムでない表示」とはこれと同様の態様を示す。ステップ２２４及び２２６の後、このステップ１４２の処理は終了する。
【００５０】
ステップ１４２で実行される処理はさらに、ステップ２２２において第１のデコーダ１０４の出力を表示中でないと判定されたことに応答して実行され、第１のデコーダ１０４の出力を選択するよう切替回路１１８を制御するステップ２２８と、ステップ２２８の後、録画された信号の再生を開始するよう、第１の録画再生装置１２０Ａに含まれる再生装置１３４Ａを制御するステップ２２９と、ステップ２２９の後、ステップ２２８の前にディスプレイ９２が表示していた第２のデコーダ１０６の出力がリアルタイムであったか否かを判定するステップ２３０と、ステップ２３０においてリアルタイムであったと判定されたことに応答して実行され、第２のデコーダ１０６の出力の録画を開始するよう、第２の録画再生装置１２０Ｂに含まれる第２の記録装置１３０Ｂを制御するステップ２３２と、ステップ２３０においてリアルタイムでなかったと判定されたことに応答して実行され、第２の記録装置１３０Ｂによる録画を継続することを決定するステップ２３４とを含む。ステップ２３２及び２３４の後、このステップ１４２の処理は終了する。
【００５１】
ステップ１４２で実行される処理はさらに、図６を参照して、チャンネル切替コードによって指示されたチャンネルを第１のチューナ１００が受信中ではないとステップ２２０（図５）で判定されたことに応答して実行され、チャンネル切替コードによって指示されたチャンネルを第２のチューナ１０２が受信中であるか否かを判定し、判定結果に応じて制御を分岐させるステップ２４０と、ステップ２２２、ステップ２２３、ステップ２２４、ステップ２２６、ステップ２２８及びステップ２２９とそれぞれ同様の処理を、第２のチューナ１０２、デコーダ１０６、及び録画再生装置１２０Ｂに対して行なう、ステップ２４２、ステップ２４３、ステップ２４４、ステップ２４６、ステップ２４８、及びステップ２４９を含む。ステップ２４４及びステップ２４６の後、このステップ１４２の処理は終了する。
【００５２】
ステップ１４２で実行される処理はさらに、図６を参照して、ステップ２４９の後、ステップ２３０、ステップ２３２、及びステップ２３４（図５）とそれぞれ同様の処理を、第１のチューナ１００、デコーダ１０４、及び録画再生装置１２０Ａに対して行なう、ステップ２５０、ステップ２５２、及びステップ２５４を含む。ステップ２５２及び２５４の後、このステップ１４２の処理は終了する。
【００５３】
ステップ１４２で実行される処理はさらに、図７を参照して、ステップ２４０（図６）において、第２のチューナ１０２が指示チャンネルを受信中ではないと判定されたことに応答して実行され、図３に示す切替回路１１８が第１のデコーダ１０４の出力を選択し、ディスプレイ９２に表示させているか否かを判定し、その判定結果に応じて制御を分岐させるステップ２６０と、ステップ２６０において第１のデコーダ１０４の出力を表示中であると判定されたことに応答して実行され、指示されたチャンネルを選択するように第２のチューナ１０２に選局信号を与えることを決定するステップ２６２と、第１のデコーダ１０４のフレームメモリに書込まれる映像信号の縮小表示をしながら、第２のデコーダ１０６にその出力の表示に切替えるよう、ＤＳＰ１１４及び切替回路１１８を制御することを決定するステップ２６４と、ステップ２６４の後、ステップ２６０の時点でディスプレイ９２が表示していた第１のデコーダ１０４の出力が、リアルタイム信号であったか否かを判定し、判定結果に応じて制御を分岐させるステップ２６６と、ステップ２６６においてリアルタイム信号を表示中であったと判定されたことに応答して実行され、第１のデコーダ１０４の出力を録画するため、第１の録画再生装置１２０Ａを制御するステップ２６８と、ステップ２６６においてリアルタイム信号を表示中でなかったと判定されたことに応答して実行され、第１の録画再生装置１２０Ａによる録画を継続することを決定するステップ２７０とを含む。
【００５４】
ステップ１４２で実行される処理はさらに、ステップ２６０において第１のデコーダ１０４の出力を表示中ではないと判定されたことに応答して実行され、指示されたチャンネルを選択するように第１のチューナ１００に選局信号を与えることを決定するステップ２７２と、第２のデコーダ１０６のフレームメモリに書込まれる映像信号の縮小表示をしながら第１のデコーダ１０４の出力の表示に切替えるよう、ＤＳＰ１１４及び切替回路１１８を制御することを決定するステップ２７４と、ステップ２７４の後、ステップ２６６、ステップ２６８、及びステップ２７０とそれぞれ同様の処理を、第２のデコーダ１０４、及び録画再生装置１２０Ｂに対して行なう、ステップ２７６、ステップ２７８、及びステップ２８０を含む。ステップ２６８、ステップ２７０、ステップ２７８及びステップ２８０の後、このステップ１４２の処理は終了する。
【００５５】
なお、ステップ２２４、ステップ２２６、ステップ２２８、ステップ２４４、ステップ２４６、ステップ２４８、ステップ２６４及びステップ２７４では、図４に示すステップ１４４、及びステップ１４６での判定のための情報を作成するという処理を行なう。同様に、ステップ２６４及びステップ２７４では、スイッチの切替及びＤＳＰの画面縮小表示において、どちらのデコーダの出力からどちらのデコーダの出力に表示を切替えるかを決定するための情報を、ステップ２３２、ステップ２３４、ステップ２５２、ステップ２５４、ステップ２６８、ステップ２７０、ステップ２７８及びステップ２８０では、ステップ１４５での録画再生装置の録画機能を制御するための情報を、ステップ２２６、ステップ２２９、ステップ２４６及びステップ２４９では録画再生装置の再生機能を制御するための情報を、それぞれ作成し記憶する。
【００５６】
図８は、図４のステップ１５０において起動されるスイッチ切替プロセスのフローチャートである。図８を参照して、このプログラムは、図３に示す切替回路１１８の入力を、ＤＳＰ１１４の出力を選択するように切替えるステップ３００と、ステップ３００の後に実行され、図４のステップ１４２において、切替後のチャンネルを選局しデコードするよう決定されたデコーダのフレームメモリに、完全な１フレーム分の映像が作成されたか否かを判定し、１フレーム分の映像が作成されるまでこの判定を繰返すステップ３０２と、ステップ３０２において、選局後のチャンネルのデコーダのフレームメモリに、１フレーム分の映像が完全に作成され書込まれたと判定されたことに応答して実行され、選局チャンネルに対応するデコーダの出力を選択するように切替回路１１８を制御するステップ３０４とを含む。ステップ３０４の後、この処理は終了する。
【００５７】
図８に示す処理では、このプロセスに対し、どちらのデコーダからどちらのデコーダに出力を切替えるかを指定する信号が与えられる。ステップ３０２及びステップ３０４では、この情報を用いて図３に示すデコーダ１０４及びデコーダ１０６のうち一方のフレームメモリをチェックし、そのフレームメモリ内に完全な１フレーム分の画像が準備されたことがわかると、そのデコーダの出力を選択するように切替回路１１８を制御する。
【００５８】
〈動作〉
以上に構成を説明したこのデジタルテレビ放送受信装置９０は、以下のように動作する。図３を参照して、デジタルテレビ放送受信装置９０の電源が投入されると、第１のチューナ１００及び第２のチューナ１０２はそれぞれ、電源投入以前に最後に設定されたチャンネルの信号の受信を開始する。ここでは、第１のチューナ１００、及び第２のチューナ１０２がそれぞれ第１チャンネルと第２チャンネルとを受信しているものとする。これら信号は第１のデコーダ１０４及び第２のデコーダ１０６に与えられる。一方、ＣＰＵ１１０は、メモリ１１２に格納されたプログラムの実行を開始する。本実施の形態の場合、ＣＰＵ１１０は、電源投入直後には第１のデコーダ１０４の出力を選択するように切替回路を制御する。さらに、第２のデコーダ１０６の出力を第２の録画再生装置１２０Ｂに含まれる記録装置１３０Ｂにより録画し、記憶部１３２Ｂにより保存するようにこれらを制御する。このとき、第１の録画再生装置１２０Ａの制御は行わず、作動しない。
【００５９】
第１のデコーダ１０４は、第１のチューナ１００の出力する符号化されたデジタル放送信号をデコードし、その信号を図示しないフレームメモリを介して切替回路１１８に与える。第２のデコーダ１０６も同様に、第２のチューナ１０２の出力する符号化されたデジタル放送信号をデコードし、その出力をフレームメモリを介して切替回路１１８に与える。切替回路１１８は、ＣＰＵ１１０の制御に従い、デコーダ１０４の出力を選択してＶＲＡＭ１１６に与える。また音声信号はアンプ９４に与えられる。ディスプレイ９２は、ＶＲＡＭ１１６に書込まれた各フレームの映像信号を所定の時間間隔で読出し、表示する。アンプ９４に与えられた音声信号はアンプ９４で増幅され、スピーカ９６に与えられる。
【００６０】
ユーザが、第１のチューナ１００により選局されているチャンネルから、別のチャンネルに変更するよう図示しないリモートコントローラを操作したものとする。リモートコントローラは、このチャンネル切替指示を示す赤外線を出力する。図３に示す赤外線受光部１０８は、この赤外線を受光し、指定されたチャンネルに切替えるよう指示するチャンネル切替コードをＣＰＵ１１０に与える。
【００６１】
以下、図２に示すチャンネル切替操作を仮定し、図４を参照してＣＰＵ１１０及びチューナ１００、１０２の動作について説明する。ユーザは電源投入後、ディスプレイ９２に表示された第１チャンネルを視聴していたが、第２チャンネルへの切替を指示したとする。チャンネル切替コードが受信され、図４のステップ１４０の判定結果はＹＥＳとなる。その結果ステップ１４２の処理が実行される。
【００６２】
図５を参照して、ステップ２２０では、ユーザにより指示されたチャンネルを第１のチューナ１００が受信中か否かを判定する。ここでは、ユーザにより指定されたチャンネルが、第１のチューナ１００により受信されている第１チャンネルとは異なる第２チャンネルである。その結果、ステップ２２０での判定結果はＮＯとなり、制御は図６に示すステップ２４０に進む。ステップ２４０では、ユーザにより指示された第２チャンネルを、第２のチューナ１０２が受信中か否かを判定する。ここでは、第２のチューナ１０２は第３チャンネルを受信していた。その結果、ステップ２４０の判定結果はＮＯとなり、制御は図７に示すステップ２６０に進む。
【００６３】
ステップ２６０では、切替回路１１８が、第１のデコーダ１０４の出力を表示中か否かを判定する。ここでは、第１のデコーダ１０４の出力を表示中であるため、判定結果はＹＥＳとなり、ステップ２６２の処理が行われる。
【００６４】
ステップ２６２では、指示された第２チャンネルの信号を選局するよう、第２のチューナ１０２に対し選局信号を与える。次に、ステップ２６４において、第１のデコーダ１０４の出力する映像を、チャンネル切替の指示があってからの経過時間に応じた縮小比率で縮小しながら表示した後、第２のデコーダ１０６の出力に切替えるようにＤＳＰ１１４及び切替回路１１８を制御することが決定される。次に、ステップ２６６へ進む。
【００６５】
ステップ２６６では、ステップ２６２以前に、第１のデコーダ１０４の出力がリアルタイムだったか否かを判定する。本仮定においては、リアルタイムであり、ステップ２６６の判定結果はＹＥＳとなり、ステップ２６８の処理が行われる。ステップ２６８では、第１の録画再生装置１２０Ａに含まれる第１の記録装置１３０Ａにより第１のデコーダ１０４の出力の録画を開始することを決定する。もし、リアルタイムでなければ、ステップ２７０において現在進行中の録画を継続することを決定する。この後ステップ１４２の処理を終わる。
【００６６】
ただし、ステップ２６８、及びステップ２７０では、実際に第１の録画再生装置１２０Ａの録画機能の制御をするのではない。それらは図４に示すステップ１４５において行われる。
【００６７】
図４を参照して、ステップ１４４では、切替回路１１８を用いた出力の切替があるか否かを判定する。ここでは判定結果はＹＥＳとなり、ステップ１４５へ進む。
【００６８】
ステップ１４５では、記録装置１３０Ａによる第１のデコーダ１０４の出力の録画と、記憶部１３２Ａによる録画信号の保存とが開始される。
【００６９】
続いてステップ１４６では、ＤＳＰ１１４を使用するか否かが判定される。この例ではＤＳＰ１１４を使用するので判定結果はＹＥＳとなり、制御はステップ１４８に進む。
【００７０】
ステップ１４８では、ＤＳＰ１１４に対し、第１のデコーダ１０４の出力が縮小表示されるよう加工し、切替回路１１８に与える処理を開始させる。続いてステップ１５０では、ＣＰＵ１１０内に、切替回路１１８の切替プロセスを起動する処理が行なわれる。
【００７１】
図８を参照して、ステップ３００では、切替回路１１８の入力を、ＤＳＰ１１４の出力に切替える処理が実行される。この結果、ＤＳＰ１１４から出力される、図２に示される映像信号６２のような縮小表示を実現する映像が順次ＶＲＡＭ１１６に書込まれ、ディスプレイ９２に表示される。
【００７２】
ステップ３０２では、第２のデコーダ１０６内のフレームメモリに、１フレーム分の映像が準備できるまで待機し、１フレーム分の映像が準備できれば、ステップ３０４で、切替回路１１８を制御し、ＤＳＰ１１４の出力から、第２のデコーダ１０６の出力に入力を切替えさせる。その結果、切替回路１１８からは、第２のデコーダ１０６の出力が出力され、ディスプレイ９２には、第２のチューナ１０２により選局された第２チャンネルの映像が表示されることになる。
【００７３】
次に、ここで、ユーザがチャンネルを再び第１チャンネルに切替える指示を出したものとする。今度は、図５のステップ２２０において、判定結果はＹＥＳとなり、ステップ２２２へ進む。
【００７４】
ステップ２２２では、切替回路１１８が、第１のチューナ１００の出力を表示中か否かを判定する。ここでは、ステップ２２２の判定結果はＮＯとなり、ステップ２２８へ進む。ステップ２２８では、切替回路１１８が、第１のデコーダ１０４の出力を選択することを決定し、ステップ２２９へ進む。ステップ２２９においては、第１の再生装置１３４Ａにより録画信号を再生することを決定する。この録画信号とは、第１チャンネルから第２チャンネルへの切替の時点で、第１の記録装置１３０Ａにより録画が開始されたものである。
【００７５】
さらに、ステップ２３０の判定結果はＹＥＳとなり、ステップ２３２において、第２の録画再生装置１２０Ｂによる第２のデコーダ１０６の出力の録画を開始することを決定する。
【００７６】
再び図４を参照して、ステップ１４４では、判定結果はＹＥＳとなり、ステップ１４５へ進む。
【００７７】
ステップ１４５では、第２の録画再生装置１２０Ｂによるデコーダ出力の録画が開始される。
【００７８】
続いてステップ１４６では、ＤＳＰ１１４を使用しないことが決定され、制御はステップ１５１に進む。
【００７９】
ステップ１５１では、第１の録画再生装置１２０Ａによる録画信号の再生が開始される。
【００８０】
続くステップ１５２では、切替回路１１８の制御が行われ、第２のデコーダ１０６の出力から第１のデコーダ１０４の出力へ、入力の選択が変更される。その結果、切替回路１１８からは、第１のデコーダ１０４の出力が録画再生装置１２０Ａ及びスイッチ１２２を介して出力され、ディスプレイ９２には、第１のチューナ１００により選局された第１チャンネルの録画映像が再生され表示されることになる。ステップ１５２の後、制御はステップ１４０へ戻る。
【００８１】
以上のように本実施の形態に係るデジタルテレビ放送受信装置９０によれば、表示中のチャンネルから他のチャンネルに切替えるようユーザの指示があった場合、切替先のチャンネルの映像信号の表示が可能になるまでの間、切替前のチャンネルの映像が表示されるか、または、切替先のチャンネルをすでに録画しておいた映像が表示される。その結果、画面が完全に真っ暗になってしまうことがなくなり、いずれかのチャンネルの映像を見ることができる。その結果、ユーザは、装置が故障したというパニックを起こす恐れが少なく、全く映像が見られない、というユーザの不満を解消することができる。さらに、ユーザは、一時的に別のチャンネルを選択していたために視聴できなかった第１チャンネルのプログラムを、欠落部分なくわずかな時間遅れで追いかける形で視聴することができる。
【００８２】
以上のとおり、本実施の形態によればチャンネル切替の際にも、装置が故障したという誤解のためにユーザにパニックを生じさせたり、チャンネル切替後の映像の表示が可能になるまでの間、ユーザに無駄な時間をすごさせるということがなくなる。その上、あるチャンネルにおける１プログラム内容のすべてを楽しみたいが、加えて、別チャンネルで同時刻に放映されている別プログラムも随時確認したいというユーザの欲求も実現できる。その結果、デジタル放送のチャンネル切替時におけるユーザの不満を緩和することが可能になる。
【００８３】
［変形例］
上記した実施の形態では、デジタルテレビ受信装置は、チューナと、チューナに接続しチューナが受信した信号をデコードするためのデコーダと、デコーダに接続しデコードされた信号を録画、及び録画しながらの再生をするための記録再生装置とをそれぞれ２つずつ含んでいる。しかし本発明はそのような実施の形態には限定されず、これらを複数個持っていればよい。また、切替回路１１８には、図３に示した第１のデコーダ１０４と、第２のデコーダ１０６と、ＤＳＰ１１４と、第１及び第２の記録再生装置１２０Ａ及び１２０Ｂに接続しこれらのいずれかの出力信号を選択するスイッチ１２２との４つの入力以外に、ＤＶＤ（デジタル多用途ディスク）等の端末を複数接続し、入力信号としても良い。
【００８４】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００８５】
【図１】従来の技術によるチャンネル切替時の映像シーケンスを示す模式図である。
【図２】本発明の第１の実施の形態に係るデジタルテレビ放送受信装置による、チャンネル切替時の映像シーケンスを模式的に示す図である。
【図３】第１の実施の形態に係るデジタルテレビ放送受信装置９０の概略ブロック図である。
【図４】デジタルテレビ放送受信装置９０のＣＰＵ１１０で実行されるチャンネルメイン制御プログラム、及び第１及び第２のチューナ１００及び１０２で実行されるプログラムの制御構造を示すフローチャートである。
【図５】図４に示すチャンネルメイン制御プログラムのステップ１４２で実行される処理のフローチャートである。
【図６】図４のステップ２２０においてＮＯと判定された場合、実行される処理のフローチャートである。
【図７】図６のステップ２４０においてＮＯと判定された場合、実行される処理のフローチャートである。
【図８】図４のステップ１５０において起動される、切替回路の切替プロセスを実現するプログラムの制御構造を示すフローチャートである。
【符号の説明】
【００８６】
９０  デジタルテレビ放送受信装置
１００  第１デジタル放送フロントエンド処理部チューナ（第１のチューナ）
１０２  第２デジタル放送フロントエンド処理部チューナ（第２のチューナ）
１０４、１０６  デコーダ
１０８  赤外線受光部
１１０  ＣＰＵ
１１２  メモリ
１１４  ＤＳＰ
１１６  ＶＲＡＭ
１１８  切替回路
【図１】
2008199281.tif 000003
【図２】
2008199281.tif 000004
【図３】
2008199281.tif 000005
【図４】
2008199281.tif 000006
【図５】
2008199281.tif 000007
【図６】
2008199281.tif 000008
【図７】
2008199281.tif 000009
【図８】
2008199281.tif 000010